(57)【特許請求の範囲】
【請求項１】
住宅のバルコニーまたはベランダ等の壁面局部的に塗布した塗材溜りを掻き均す硬質平板状鏝部の一側辺に、厚み調整部材を前記塗材の塗りつけ厚み量に相当する分だけ外側に突出させて設け、該厚み調整部材を前記壁面に当接させて前記鏝部を掻き均し方向に移動し、前記鏝部の一側辺と前記壁面との隙間を通る前記塗材を前記壁面に塗り付ける壁面仕上げ施工方法であって、
前記厚み調整部材を、前記掻き均し方向と略直交する方向に離間させて少なくとも２つ以上、各厚み調整部材の間隔を調整できるようにして設け、該厚み調整部材により前記壁面上を掻き均す壁面仕上げ施工方法において、
前記厚み調整部材は、鏝部長辺一端側に取り付ける棒状材一端側をスリット付きフック部材とし該フック部材他端側に取り付けられた締め付け片と蝶ナット付ねじとによって構成して鏝部長辺他端側で調整締付けされることを特徴とする、
壁面仕上げ施工方法。
【請求項２】
住宅のバルコニーまたはベランダ等の壁面局部的に塗布した塗材溜りを掻き均す硬質平板状鏝部と、該鏝部の片面に取り付けた握り手と、前記鏝部の一側辺に前記塗材の塗りつけ厚み量に相当する分だけ外側にと突出させて設けた着脱可能な厚み調整部材とを備えた壁面仕上げ施工用具であって、
前記厚み調整部材を、前記掻き均し方向と略直交する方向に離間させて少なくとも２つ以上設け、かつ、各厚み調整部材の上記一側辺方向の間隔を調整できるようにした壁面仕上げ施工用具において、
前記厚み調整部材は、鏝部長辺一端側に取り付ける棒状材一端側をスリット付きフック部材とし該フック部材他端側に取り付けられた締め付け片と蝶ナット付ねじとによって構成して鏝部長辺他端側で調整締付けされることを特徴とする、
壁面仕上げ施工用具。
【発明の詳細な説明】
【技術分野】
【０００１】
本発明は壁面仕上げ施工方法及びその実施に用いる壁面仕上げ施工用具に関するものであり、特に、住宅のバルコニーまたはベランダ等の壁面に仕上げ用の塗料やウレタン塗膜防水材等のコーキング材、セメント材等の塗材を塗布する壁面仕上げ施工方法及びその実施に用いる壁面仕上げ施工用具に関するものである。
【背景技術】
【０００２】
従来、図７に示すように、住宅１００のバルコニーまたはベランダ１０１等の壁面１０２(以下、単に「壁面１０２」という)において、仕上げ用の塗料やコーキング材、ウレタン塗膜防水材等の塗材を塗布する壁面仕上げは広く行われているところである。
【０００３】
一般に、ウレタン塗膜防水の立ち上がり部の施工方法は、（イ）プライマー等の下地処理をした施工面に、所定量の約半分程度をゴムベラ、左官鏝で塗り付ける工程、（ロ）ガラスメッシュ、合成繊維不織布等の補強材を貼り付ける工程、（ハ）所定量の残り分を塗布し、表面を左官鏝、スポンジヘラ等で平滑に仕上げる工程、（ニ）トップコートを塗布する工程、を経て完成される。特に（ハ）工程が最終仕上がりにおいて重要である。
【０００４】
そして、一般に壁面仕上げ工程において、下地処理してなる施工面に塗膜防水材等の塗材を左官鏝で塗布する場合は、まず施工面に塗材を局部的に塗布して塗材溜まりを設け、続いて塗材溜まりを左官鏝等で施工面に塗装厚みが１〜５ミリになるように直接塗り付けている（例えば、特許文献１参照）。
【特許文献１】特開２００３−２５３８４１号公報。
【発明の開示】
【発明が解決しようとする課題】
【０００５】
しかしながら、特許文献１に記載のように、鏝等を使用して壁面上の塗材溜まりを均一に掻き均す方法は、塗材を均一にしてムラ無く塗装するには、かなりの熟練を必要としている。すなわち、施工技能員の力量の差がそのまま仕上がりの良し悪しに影響し、また素人が塗布した塗布面は一見したのみで直ぐ判別がつくものである。
【０００６】
さらに、戸建て住宅のベランダ、バルコニーのように、比較的小面積で、短時間で施工をする場合、短時間で次工程に移れるように反応速度を速めているため、可使時間(作業可能時間)が短くなる。したがって、作業を早くしなければならないために、未熟の作業者が作業を行うと、さらに鏝ムラ、塗り継ぎ部分の段差等が発生しやすくなる。このため、熟練者でなくても短時間で均一な厚みの壁面仕上げができる施工方法及び施工用具が要求されている。
【０００７】
そこで、熟練をしていなくても壁面に塗材を均一の厚みで体裁良く短時間で塗り付けることができると同時に、繋ぎ目状ラインを簡単、かつ、体裁良く設けることができる壁面仕上げ施工方法及びその実施に用いる施工工具を提供するために解決すべき技術的課題が生じてくるのであり、本発明はこの課題を解決することを目的とする。
【課題を解決するための手段】
【０００８】
本発明は上記目的を達成するために提案されたものであり、請求項１に記載の発明は、
住宅のバルコニーまたはベランダ等の壁面局部的に塗布した塗材溜りを掻き均す硬質平板状鏝部の一側辺に、厚み調整部材を前記塗材の塗りつけ厚み量に相当する分だけ外側に突出させて設け、該厚み調整部材を前記壁面に当接させて前記鏝部を掻き均し方向に移動し、前記鏝部の一側辺と前記壁面との隙間を通る前記塗材を前記壁面に塗り付ける壁面仕上げ施工方法であって、
前記厚み調整部材を、前記掻き均し方向と略直交する方向に離間させて少なくとも２つ以上、各厚み調整部材の間隔を調整できるようにして設け、該厚み調整部材により前記壁面上を掻き均す壁面仕上げ施工方法において、
前記厚み調整部材は、鏝部長辺一端側に取り付ける棒状材一端側をスリット付きフック部材とし該フック部材他端側に取り付けられた締め付け片と蝶ナット付ねじとによって構成して鏝部長辺他端側で調整締付けされることを特徴とする、
壁面仕上げ施工方法を提供する。 
【０００９】
この方法によれば、厚み調整部材を壁面に押し当てた状態で、鏝部を掻き均し方向へ向かって塗材溜まり上を移動させると、塗材は、一部が鏝部の一側辺と壁面との隙間を通過して均一の厚みに塗られながらムラ無く掻き均される。
【００１１】
請求項２記載の発明は、住宅のバルコニーまたはベランダ等の壁面局部的に塗布した塗材溜りを掻き均す硬質平板状鏝部と、該鏝部の片面に取り付けた握り手と、前記鏝部の一側辺に前記塗材の塗りつけ厚み量に相当する分だけ外側にと突出させて設けた着脱可能な厚み調整部材とを備えた壁面仕上げ施工用具であって、
前記厚み調整部材を、前記掻き均し方向と略直交する方向に離間させて少なくとも２つ以上設け、かつ、各厚み調整部材の上記一側辺方向の間隔を調整できるようにした壁面仕上げ施工用具において、
前記厚み調整部材は、鏝部長辺一端側に取り付ける棒状材一端側をスリット付きフック部材とし該フック部材他端側に取り付けられた締め付け片と蝶ナット付ねじとによって構成して鏝部長辺他端側で調整締付けされることを特徴とする、
壁面仕上げ施工用具を提供する。 
【００１２】
この構成によれば、厚み調整部材を壁面に押し当て、鏝部を掻き均し方向に向かって塗材溜まり上を移動させると、塗材は、一部が鏝部の一側辺と壁面との隙間を通して均一の厚みに塗られながらムラ無く掻き均される。
【００１３】
この発明は、前記厚み調整部材を、上記掻き均し方向と略直交する方向に離間させて少なくとも２つ以上設け、かつ、各厚み調整部材の上記一側辺方向の間隔を調整できるようにした壁面仕上げ施工用具であるところ、２つ以上の厚み調整部材を壁面に押し当てた状態で鏝部を掻き均し方向に移動させると、鏝部の一側辺と壁面との間隙Ｓを通して塗材が均一の厚みでムラ無く掻き均され、これが壁面に塗布される。
【発明の効果】
【００１４】
請求項１記載の発明は、未熟の作業者であっても厚み調整部材を壁面に押し当て、鏝部を掻き均し方向に移動させるだけで、塗材を壁面に均一の厚みにムラ無く、且つ、体裁良く、短時間で塗り付けることができる。また、前記厚み調整部材は、鏝部長辺一端側に取り付ける棒状材一端側をスリット付きフック部材とし該フック部材他端側に取り付けられた締め付け片と蝶ナット付ねじとによって構成して鏝部長辺他端側で調整締付けされるものであるから、
鏝部長辺一端側に取り付ける棒状材たるスリット付きフック部材と該フック部材他端側に取り付けられた締め付け片と蝶ナット付ねじとによって、厚み調整部材の調整、脱着、交換等が簡便に可能であり、実践的有用性をもたらすものである。
【００１５】
請求項２記載の発明は、本発明の施工用具を使用することにより、
未熟の作業者でも、前記厚み調整部材を、壁面に押し当て、鏝部を掻き均し方向に移動させるだけで壁材を壁面に均一の厚みでムラなく体裁良く、且つ、短時間で塗りつけることができる。
そして、前記厚み調整部材は、前記掻き均し方向と略直交する方向に離間させて少なくとも２つ以上設け、かつ、各厚み調整部材の上記一側辺方向の間隔を調整できるようにした壁面仕上げ施工用具において、
前記厚み調整部材は、鏝部長辺一端側に取り付ける棒状材一端側をスリット付きフック部材とし該フック部材他端側に取り付けられた締め付け片と蝶ナット付ねじとによって構成して鏝部長辺他端側で調整締付けされるものであるところ、厚み調整部材の調整、締め付け、着脱、交換を、簡易に行うことができるので、多大の便宜をもたらすものである。
【発明を実施するための最良の形態】
【００１６】
熟練をしていなくても壁面に塗材を均一の厚みで体裁良く短時間で塗り付けることができる施工法を提供すると云う目的を達成するために、住宅のバルコニーまたはベランダ等の壁面に局部的に塗布した塗材溜まりを掻き均す硬質平板状鏝部の一側辺に、厚み調整部材を前記塗材の塗りつけ厚み量に相当する分だけ外側に突出させて設け、該厚み調整部材を前記壁面に当接させて前記鏝部を掻き均し方向に移動し、前記鏝部の一側辺と前記壁面との隙間を通る前記塗材を前記壁面に塗り付けるようにして実現した。
【実施例】
【００１７】
以下、本発明の壁面仕上げ施工方法及びその実施に用いる壁面仕上げ施工用具について、好適な実施例をあげて説明する。
【００１８】
図１〜図４は、本発明を実施するのに好適な壁面仕上げ施工用具を示すもので、図１は該施工用具の斜視図、図２は該施工用具の上面図、図３は該施工用具の側面図、図４は該施工用具の下面図である。なお、本実施の形態では、住宅のバルコニーまたはベランダ等の壁面に、ウレタン塗膜防水材である塗材を塗布する場合とするが、勿論、ウレタン塗膜防水材以外の仕上げ用の塗料やコーキング材等を塗材としてもよいものである。
【００１９】
図１〜図４において、施工用具１０は、鏝１１と１対の厚み調整部材１２，１２とにより構成されている。
【００２０】
前記鏝１１は、平板鏝であり、鉄板等の硬質平板からなる鏝部１３と、その片面に支軸１４を介して取り付けられた握り手１５とにより構成されている。そして、該鏝部１３の握り手１５を取り付けた側と反対側の面(下面)を均し面１３ａとし、この均し面１３ａにウレタン塗膜防水材(以下、単に「塗材２５」という)を乗せ、該塗材２５を後述する壁面箇所２６(図５参照)に盛り付けて塗料溜まりを形成した後、該鏝部１３の長辺１６ａとなる一側辺１７ａで塗材２５を掻き均すことにより、該塗材２５を延ばし広げることができる構成になっている。
【００２１】
前記厚み調整部材１２，１２は、鏝部１３の長辺１６ａ方向に所定の間隔を空け、かつ、短辺１６ｂに沿って１対設けられている。各厚み調整部材１２，１２は、棒状をしたフック部材１８と、該フック部材１８に取り付けられた締め付け片１９と、蝶ナット付ねじ２０とにより構成されている。
【００２２】
前記フック部材１８は、鉄等の棒状材を使用し、一端側をＵ字状に折り返して、該一端側にスリット２１を有するフック部２２を設け、他端側に前記蝶ナット付ねじ２０を螺合させて取り付けるねじ部２３を設けている。なお、スリット２１における隙間は、鏝部１３の板厚みとほぼ等しく、該スリット２１内に鏝部１３の一側辺１７ａ側を差し込むことができるようになっている。
【００２３】
また、フック部材１８における棒状材の直径は、該フック部材１８の折り返し部分１８ａを後述する壁面に押し付けたとき、該壁面と一側辺１７ａとの間に形成される隙間が、塗布する塗材２５の厚み量とほぼ等しい寸法となるように設定されている。したがって、塗材２５を塗布する厚みに応じて、直径の異なるフック部材１８を選択する。
【００２４】
前記締め付け片１９は、鉄等の平板材を使用し、中間部分から一端部１９ａ側を他端部１９ｂに対して略直角に折り曲げ、断面略Ｌ字状に形成されている。また、該一端部１９ａには、フック部材１８のねじ部２３が貫通する貫通孔２４を設けている。
【００２５】
このように構成された厚み調整部材１２の締め付け片１９及び蝶ナット付ねじ２０は、フック部材１８の他端部１９ｂに組み込まれて一体化された状態で使用される。
【００２６】
次に、厚み調整部材１２を鏝部１３に取り付ける動作を説明する。まず、蝶ナット付ねじ２０の締め付けを緩め、スリット２１の奥壁部と締め付け片１９との距離が、鏝部１３における短辺１６ｂの長さよりも大きくなるように調整する。
【００２７】
次いで、フック部材１８の折り返し部分１８ａ及び締め付け片１９の他端部１９ｂが、該鏝部１３の均し面１３ａ側に配置されるようにして、厚み調整部材１２を鏝部１３の短辺１６ｂと平行になるように配置する。
【００２８】
続いて、スリット２１に鏝部の一側辺１７ａを差し込むとともに、締め付け片１９の他端部１９ｂが鏝部１３の均し面１３ａと対向し、かつ一端部１９ａが鏝部１３の他側片１７ｂの端面と対向するようにして、厚み調整部材１２を鏝部１３の所定の位置に配置する。
【００２９】
また、厚み調整部材１２を所定の位置に配置し終えたら、蝶ナット付ねじ２０を締めて、該蝶ナット付ねじ２０で締め付け片１９を他側辺１７ｂ側へ送り、スリット２１の奥壁部と締め付け片１９との間で鏝部１３を締め付け挟持する。これにより、厚み調整部材１２が鏝部１３に取り付けられる。この取り付けを１対の厚み調整部材１２，１２に対して行ったのが図１〜図４に示す施工用具１０の状態である。
【００３０】
図１〜図４に示す状態は、各厚み調整部材１２，１２のフック部材１８，１８が鏝部１３の短辺１６ｂに沿って平行に取り付けられ、また各フック部材１８，１８の折り返し部分１８ａ，１８ａが、鏝部１３の一側辺１７ａから、該鏝部１３と平行に外側へ突出された状態になっている。
【００３１】
なお、フック部材１８，１８の間隔、及び鏝部１３に対する位置を変更する場合には、蝶ナット付ねじ２０のねじ込み操作を一度緩めると鏝部１３に対する位置を調整することができる。調整後、再度締め付けると、その調整後の位置で保持しておくことができる。また、例えば、太さ、一側片１７ａからの突出量、及びフック部２２の曲げ形状等がそれぞれ異なるフック部材１８，１８を用いた厚み調整部材１２，１２と交換するときには、同じく蝶ナット付ねじ２０の締め付けを緩めると脱着が可能になり、交換を行うことができる。
【００３２】
次に、この施工用具１０を用いて塗材５、すなわちウレタン塗膜防水材を仕上げ壁面に塗布する作業方法を、図５を用いて説明する。なお、作業に先立ち、仕上げを行う壁面の箇所２６(以下、単に「壁面２６」という)には、予め不織布等の下地材が貼り付けられている。そして、まず、鏝部１３の均し面１３ａにウレタン塗膜防水材２５を乗せ、これを壁面２６に盛り付けて塗料溜まり１２５を形成する。その後、１対の厚み調整部材１２，１２を同時に壁面２６に押し当てた状態で、鏝部１３を掻き均し方向に向かって塗材溜まり上を移動させる。
【００３３】
このとき、施工用具１０では、各厚み調整部材１２，１２におけるフック部材１８，１８の折り返し部分１８ａ，１８ａが、鏝部１３の一側辺１７ａから、該鏝部１３と平行に外側へ突出された状態になっているので、１対の厚み調整部材１２，１２を壁面２６に押し当てた状態では、鏝部１３の一側片１７ａと壁面２６との間に、塗布するウレタン塗膜防水材２５の厚み量とほぼ等しい、通常１〜５ミリ程度の隙間Ｓが形成されている。したがって、１対の厚み調整部材１２，１２を壁面２６に押し当てた状態で鏝部１３を掻き均し方向に移動させると、鏝部１３の一側辺１７ａと壁面２６との隙間Ｓを通して、塗材が均一の厚みでムラ無く掻き均され、これが壁面２６に塗布される。同時に、厚み調整部材１２，１２が通る部分にはウレタン塗膜防水材が塗布されないので、ウレタン塗膜防水材２５を塗布した仕上げ済みの壁面２７に、図６に示すように繋ぎ目状ライン２８が形成されるが、該繋ぎ目状ライン２８は仕上げ工程で消去される。
【００３４】
このようにして横一列分を連続して塗布し、次いで施工用具１０を上または下側に１鏝部だけ位置をずらせ、再び同様にして塗布して行くと、例えば図８に示したような繋ぎ目ライン１０３が形成されるが、該繋ぎ目状ライン１０３は仕上げ工程で消去される。
【００３５】
したがって、施工用具１０を使用して壁面仕上げ加工を行うと、厚み調整部材１２，１２を壁面２６に押し当てた状態で、鏝部１３を掻き均し方向に移動させるだけで、ウレタン塗膜防水材等の塗材２５を均一の厚みでムラ無く、体裁良く、かつ迅速に塗り付けることができる。これにより、作業性並びに見栄えを向上させることができる。
【００３６】
なお、本発明は、本発明の精神を逸脱しない限り種々の改変を為すことができ、そして、本発明が該改変されたものに及ぶことは当然である。
【図面の簡単な説明】
【００３７】
【図１】本発明の壁面仕上げ施工方法で使用する施工用具の斜視図。
【図２】同上施工用具の上面図。
【図３】同上施工用具の側面図。
【図４】同上施工用具の下面図。
【図５】同上施工用具を使用する壁面仕上げ施工方法の一例を示す図。
【図６】同上仕上げ施工方法で仕上げられた仕上げ済み壁面の拡大平面図。
【図７】戸建て住宅の一例として示す戸建て住宅の側面図。
【図８】同上戸建て住宅におけるバルコニー部分の拡大平面図。
【符号の説明】
【００３８】
１０      施工用具
１１      鏝
１２      厚み調整部材
１３      鏝部
１３ａ    均し面
１５      握り手
１７ａ    一側辺
２５      ウレタン塗膜防水材(塗材)
２６      仕上げを行う壁面箇所
２７      仕上げ済み壁面
２８（１０３）  繋ぎ目状ライン
【図１】
0005301124.tif 000002
【図２】
0005301124.tif 000003
【図３】
0005301124.tif 000004
【図４】
0005301124.tif 000005
【図５】
0005301124.tif 000006
【図６】
0005301124.tif 000007
【図７】
0005301124.tif 000008
【図８】
0005301124.tif 000009